(57)【特許請求の範囲】
【請求項１】
相対面するシート（１）、（２）が重ね合わされてシールされ、該シールされたシール部で包囲されるように被収容物を収容しうる２個の収容部が形成され、該２個の収容部のうち、一方の収容部は、被収容物を押し出すように押圧する押出側収容部（４）として形成されているとともに、他方の収容部は、前記押出側収容部１（４）内の被収容物が導入される導入側収容部（５）として形成され、該押出側収容部（４）と導入側収容部（５）との間には区画シール部（６）が形成され、該区画シール部（６）は、前記押出側収容部（４）を押圧することで、前記押出側収容部（４）と導入側収容部（５）とを連通状態とすべく剥離可能に構成された包装体において、該導入側収容部（５）と対向する押出側収容部（４）の側縁部は、両端から中央に向かって略半円状に突設され、該略半円状に突設された押出側収容部（４）の側縁部の先端側且つ中央部分に凹入部（８）が形成されているとともに、該凹入部（８）に対向する突出部（９）が、前記押出側収容部（４）の側縁部と対向する導入側収容部（５）の側縁部に形成され、相対向する導入側収容部（５）の先端縁が、押出側収容部（４）の先端縁よりも、押出側収容部（４）側に位置するように形成されることで、前記突出部（９）が前記凹入部（８）内に臨出しうるように形成され、前記押出側収容部（４）と導入側収容部（５）間の区画シール部（６）のうち、前記突出部（９）と凹入部（８）間の部分が最も細幅に形成されて、前記押出側収容部（４）と導入側収容部（５）を導通させる導通用シール部（７）として形成されていることを特徴とする包装体。
【請求項２】
突出部（９）の外側縁と凹入部（８）の内側縁が、略半円状又は略山形状に形成されている請求項１記載の包装体。
【発明の詳細な説明】
【技術分野】
【０００１】
本発明は、包装体、さらに詳しくは、マスク等の担体と、その担体に含浸させる薬液等の液体をそれぞれ別々に収容する２個の収容部を備え、剥離可能なシール部を介して前記２個の収容部が互いに対向するように配置されて構成され、使用時には液体の収容部を押圧することで、該２個の収容部が連通状態とし、それによって一方の収容部に収容された液体等を、他方の収容部に収容された担体に含浸させることができるように構成された包装体に関する。
【背景技術】
【０００２】
従来、この種の包装体として、たとえば図１３に示すようなものがある。すなわち、この包装体１２は、上下の合成樹脂製シートが重ね合わされてシールされ、シールされたシール部で包囲されるように、同図に示すように、被収容物を押し出すように押圧する押出側収容部４と、該押出側収容部４内の被収容物が導入される導入側収容部５とが形成され、
該押出側収容部４と導入側収容部５との間には区画シール部６が形成され、押出側収容部４を押圧することで区画シール部６のシール状態を解除し、それによって押出側収容部４と導入側収容部５とを連通状態とするように構成されたものである。
【０００３】
そして、押出側収容部４と導入側収容部５との相互に対向する先端部１３、１４は、図１３に示すように、突状に形成されている。
【０００４】
この種の包装体においては、押出側収容部４と導入側収容部５とを連通状態とするために、区画シール部６のシール強度を調節することによってなすという考えに基づいており、そのようなシール強度の調節は、易剥離性フィルムの使用、ヒートシール温度の調節、コート剤の塗布等の手段によってなされている。
【０００５】
しかしながら、上記図１３に示す従来の包装体は、押出側収容部４と導入側収容部５との相互に対向する先端部１３、１４がともに突状に形成されているものであるため、押出側収容部４を押圧し、その押圧力を、上記のように易剥離性フィルムの使用、ヒートシール温度の調節、コート剤の塗布等の手段によってシール強度の調節がなされている区画シール部分に作用させようとした場合、上記押圧力は、突状の先端部１３、１４が対向する部分に集中して有効に作用するとは必ずしも限らないものであった。
【０００６】
その結果、押圧力を作用させて剥離する区画シール部における剥離部分が、上記のように突状の先端部１３、１４が対向する中心部分から位置ずれした位置に生じるおそれがあり、押出側収容部４から導入側収容部５への液の導入が好適になされないおそれがあった。
【０００７】
また、上記図１３のような包装体と近似する技術として、たとえば下記特許文献１のような特許出願がなされている。この特許文献１に係る発明は、押出側収容部４内に薬液を収容し、導入側収容部５内に綿棒などの塗布棒を収容するもので、相互に対向する押出側収容部４と導入側収容部５との先端側のうち、導入側収容部５の先端側に突出部を形成するとともに、押出側収容部４の先端側に凹入部を形成し、押出側収容部４を押圧することで、その対向する突出部と凹入部間を導通させることとしたものである。
【０００８】
上記図１３の包装体のように、押出側収容部４と導入側収容部５との先端部１３、１４をともに突状とする場合に比べると、特許文献１に係る発明のように相互に対向する先端部に突出部と凹入部を形成することで、押出側収容部４を押圧した際の押出側収容部４と導入側収容部５との導通性も幾分改良されるが、押出側収容部４に対する押圧力を、突出部と凹入部とが対向する先端部間に集中して有効に作用するには未だ至らないのが現状であった。
【０００９】
従って、押圧力を作用させて剥離する区画シール部における剥離部分が、先端部が対向する中心部分から位置ずれした位置に生じるおそれがあることや、押出側収容部４から導入側収容部５への液の導入が好適になされないおそれがあること等の問題点を解決するには至らなかった。
【００１０】
【特許文献１】特開２００６−６２６８２号公報
【発明の開示】
【発明が解決しようとする課題】
【００１１】
本発明は、このような問題点を解決するためになされたもので、押出側収容部を押圧した際の押圧力を、その押出側収容部と導入側収容部との先端部が対向する中心部分に有効に作用させることができ、その押圧力によって生じる区画シール部の剥離部分を中心部分から位置ずれした位置に生じさせるおそれがなく、押出側収容部から導入側収容部への液体等の被収容物の導入を好適になすことができる包装体を提供することを課題とする。
【課題を解決するための手段】
【００１２】
本発明は、このような課題を解決するためになされたもので、相対面するシート１、２が重ね合わされてシールされ、該シールされたシール部で包囲されるように被収容物を収容しうる２個の収容部が形成され、該２個の収容部のうち、一方の収容部は、被収容物を押し出すように押圧する押出側収容部４として形成されているとともに、他方の収容部は、前記押出側収容部４内の被収容物が導入される導入側収容部５として形成され、該押出側収容部４と導入側収容部５との間には区画シール部６が形成され、該区画シール部６は、前記押出側収容部４を押圧することで、前記押出側収容部４と導入側収容部５とを連通状態とすべく剥離可能に構成された包装体において、該導入側収容部５と対向する押出側収容部４の側縁部は、両端から中央に向かって略半円状に突設され、該略半円状に突設された押出側収容部４の側縁部の先端側且つ中央部分に凹入部８が形成されているとともに、該凹入部８に対向する突出部９が、前記押出側収容部４の側縁部と対向する導入側収容部５の側縁部に形成され、相対向する導入側収容部５の先端縁が、押出側収容部４の先端縁よりも、押出側収容部４側に位置するように形成されることで、前記突出部９が前記凹入部８内に臨出しうるように形成され、前記押出側収容部４と導入側収容部５間の区画シール部６のうち、前記該突出部９と凹入部８間の部分が最も細幅に形成されて、前記押出側収容部４と導入側収容部５を導通させる導通用シール部７として形成されていることを特徴とする包装体を提供する。
【００１３】
突出部９の外側縁と凹入部８の内側縁は、たとえば略半円状又は略山形状に形成される。
【発明の効果】
【００１４】
本発明は、上述のように、相対向する導入側収容部の先端縁が、押出側収容部の先端縁よりも、押出側収容部側に位置するように形成することで、突出部が凹入部内に臨出しうるように形成し、そのような突出部と凹入部間の区画シール部を、押出側収容部と導入側収容部を導通させる導通用シール部として形成したものであるため、押出側収容部を押圧した際の押圧力を、その押出側収容部と導入側収容部との先端部が対向する中心部分に有効に作用させることができ、その押圧力によって生じる区画シール部の剥離部分を中心部分から位置ずれした位置に生じさせるおそれがなく、押出側収容部から導入側収容部への液体等の被収容物の導入を好適になすことができるという効果がある。
【発明を実施するための最良の形態】
【００１５】
以下、一実施形態の包装体について図面に従って説明する。一実施形態の包装体１２は、図１乃至図３に示すように、平面長方形状の上側シート１と、平面長方形状の下側シート２とで構成されている。この上側シート１と下側シート２とは、合成樹脂製のシートで構成されている。合成樹脂としては特に限定されるものではないが、たとえば、ポリエチレン、ポリプロピレン、ポリエチレンテレフタレート等を使用することができる。
【００１６】
上側シート１と下側シート２との周縁部は熱シール、超音波シール等によってシール部３が形成され、その周縁部のシール部３で包囲された部分はシールされることなく、図３に示すように、上側シート１と下側シート２間に被収容物を収容することができる空間を有する２個の収容部が形成されている。
【００１７】
この２個の収容部のうちの一方は、押圧することによって被収容物を押し出す押出側収容部４で、主として薬液等の液体が収容される。ただし、後述するように、液体に代えて、たとえば乳液のような粘性の高い液状物、軟膏、クリーム等のようなものを収容することも可能である。また２個の収容部のうちの他方は、前記押出側収容部４から押し出された被収容物を導入させる導入側収容部５で、前記押出側収容部４から押し出された被収容物である液体等を含浸させるマスク等の担体が主として収容される。ただし、後述するように、液体等を含浸させる担体に代えて、液体に溶解させる粉末のようなものを収容することも可能である。
【００１８】
本実施形態では、押出側収容部４に液体を収容し、その液体として、たとえば化粧水や消毒液のような薬液を使用する場合について説明し、また導入側収容部５に担体を収容し、その担体として、マスクや不織布製パッドのようなものを使用する場合について説明する。
【００１９】
そして、この押出側収容部４と導入側収容部５間には、前記周縁部のシール部３に連続してシールされている区画シール部６が形成され、この区画シール部６によって前記２個の押出側収容部４と導入側収容部５が区画されている。そして、この区画シール部６のうちの中央の部分は最も細く形成され、使用時に前記押出側収容部４と導入側収容部５とを導通させる導通用シール部７として形成されている。この導通用シール部７を含む区画シール部６は、いわゆるイージーピールによってシールされている。ここでイージーピールとは、シール強度を調整する薬剤を用いず、熱溶着時の温度、時間等を調整することにより、シールするものである。
【００２０】
押出側収容部４は、図１に示すように、相対向する一対の長手側縁部４ａ、４ｂと、相対向する一対の短手側縁部４ｃ、４ｄとで包囲して形成されている。一対の長手側縁部４ａ、４ｂは、同図に示すように直線状に形成されている。また、一対の短手側縁部４ｃ、４ｄのうち、外側の短手側縁部４ｃは、前記長手側縁部４ａ、４ｂと直交して長方形の３辺を形成するような状態で直線状に形成されている。
【００２１】
これに対して、一対の短手側縁部４ｃ、４ｄのうち、中央側の短手側縁部４ｄは、図１及び図２に示すように、略半円状に形成されている。そして、この略半円状に形成された
中央側の短手側縁部４ｄの先端側は、円弧状を描くように切り欠かれた凹入部８が形成されている。
【００２２】
導入側収容部５は、図１に示すように、相対向する一対の長手側縁部５ａ、５ｂと、相対向する一対の短手側縁部５ｃ、５ｄとで包囲して形成されている。一対の長手側縁部５ａ、５ｂは、同図に示すように直線状に形成されている。また、一対の短手側縁部５ｃ、５ｄのうち、外側の短手側縁部５ｃは、前記長手側縁部５ａ、５ｂと直交して長方形の３辺を形成するような状態で直線状に形成されている。
【００２３】
一対の短手側縁部５ｃ、５ｄのうち、中央側の短手側縁部５ｄは、図１及び図２に示すように直線状に形成されているが、その中央側の短手側縁部５ｄが前記長手側縁部５ａ、５ｂと交差する部分は小さな円弧状に形成されている。従って、導入側収容部５は全体として略長方形状に形成され、該短手側縁部５ｄと長手側縁部５ａ、５ｂとの交差する部分のみがアールを有して形成されている。この短手側縁部５ｄの中央先端側には、円弧状を描くように突出した突出部９が形成されている。
【００２４】
ここで、導入側収容部５の突出部９の先端部９ａは、図２に示すように、押出側収容部４の凹入部８の両側端縁部８ａ、８ａよりも寸法ｔの分だけ押出側収容部４の側に位置している。この結果、導入側収容部５の突出部９は、同図に示すように押出側収容部４の凹入部８内に臨出したような状態に形成されている。
【００２５】
包装体１２として製作された状態においては、押出側収容部４には、図４に示すように液体１０が収容され、導入側収容部５には、同図のように担体１１が収容されている。ずなわち、図１のＡ−Ａ線断面図である図３は、説明の便宜上、押出側収容部４及び導入側収容部５の内部がともに空間のままの状態で示されているが、実際に包装体が製作された状態においては、図４のように被収容物である液体１０と担体１１が、それぞれ押出側収容部４及び導入側収容部５の内部に収容されているのである。
【００２６】
そして、このような構成からなる包装体１２を使用する場合には、先ず液体が収容されている押出側収容部４を指等で押圧する。このように押出側収容部４を押圧することで、該押出側収容部４内の圧力が高まり、その圧力は、図５に示すように、押出側収容部４の先端部に形成された凹入部８に作用する。
【００２７】
この場合において、押出側収容部４と導入側収容部５と区画する区画シール部６、特に
押出側収容部４の凹入部８と導入側収容部５の突出部９間の導通用シール部７が、イージーピールでシールされているため、該イージーピールのシール強度を超える力がかかることで、その導通用シール部７が徐々に剥離を生じさせ、図６に示すように、押出側収容部４内の液体が一部押し出される。
【００２８】
さらに押圧力を加えることによって、導通用シール部７の全体が剥離し、押出側収容部４と導入側収容部５とが導通状態となる。そして、導通用シール部７が剥離して押出側収容部４と導入側収容部５とが導通状態となることで、押出側収容部４から押し出される液体は、図７に示すように導入側収容部５内に導入され、該導入側収容部５内に収容されていた担体１１に含浸される。
【００２９】
この場合において、押出側収容部４の中央側の短手側縁部４ｄは略半円状に形成され、の略半円状の短手側縁部４ｄの先端側に、円弧状を描くように切り欠かれた凹入部８が形成されているため、押出側収容部４に加わる押圧力は、その押出側収容部４の先端且つ中央部分である凹入部８に集中して効果的に作用する。
【００３０】
さらに、導入側収容部５の先端部には、円弧状を描くように突出した突出部９が形成されており、しかも、その突出部９の先端部９ａは、前記押出側収容部４の凹入部８の両側端縁部８ａ、８ａよりも寸法ｔの分だけ押出側収容部４の側に位置し、前記導入側収容部５の突出部９が、押出側収容部４の凹入部８内に臨出したような状態に形成されているので、上記のように押出側収容部４の先端且つ中央部分である凹入部８に集中的に作用した押圧力は、該凹入部８内に臨出した導入側収容部５の突出部９にも好適に作用する。
【００３１】
この結果、押出側収容部４に加わって該押出側収容部４と導入側収容部５間の区画シール部６に作用する押圧力は、押出側収容部４の先端且つ中央部分である凹入部８と、該凹入部８内に臨出した状態に形成された導入側収容部５の突出部９との間の導通用シール部７に特に集中して作用することとなる。従って、この導通用シール部７以外の区画シール部６の部分、すなわち中央から位置ずれした区画シール部６の部分において不用意に剥離が生じることがなく、導通用シール部７に集中して剥離力が作用するので、押出側収容部４内の液体が不用意に漏洩するようなことがなく、導通状態となった部分を介して押出側収容部４内の液体が好適に導入側収容部５内に導入されることとなる。
【００３２】
また、導通用シール部７に集中して効果的に剥離力が作用するので、一般に力が弱い女性や老人であっても、導通用シール部７を剥離し、押出側収容部４と導入側収容部５とを導通させる作業を容易に行うことができる。
【００３３】
そして、導通状態となって押出側収容部４から導入側収容部５に導入された液体は、該導入側収容部５に収容された担体１１に好適に含浸されることとなるのである。
【００３４】
尚、上記実施形態では、包装体１２を構成する上側シート１と下側シート２とが、ポリエチレン、ポリプロピレン、ポリエチレンテレフタレート等で構成される場合について説明したが、上側シート１、下側シート２の材質はこれに限定されるものではなく、他の合成樹脂を用いることも可能である。尚、本発明においては、包装体１２として合成樹脂製のものを用い、従って、上側シート１、下側シート２は合成樹脂で構成することを主眼とするが、合成樹脂以外の材質のものを用いることも可能である。
【００３５】
また、上記実施形態では、押出側収容部４が、相対向する一対の長手側縁部４ａ、４ｂと、相対向する一対の短手側縁部４ｃ、４ｄとで包囲して形成され、一対の長手側縁部４ａ、４ｂ及び外側の短手側縁部４ｃが直線状とされ、中央側の短手側縁部４ｄが略半円状にされるような形状に形成されていたが、押出側収容部４の形状も該実施形態に限定されるものではない。
【００３６】
さらに、上記実施形態では、導入側収容部５が、相対向する一対の長手側縁部５ａ、５ｂと、相対向する一対の短手側縁部５ｃ、５ｄとで包囲され、一対の長手側縁部５ａ、５ｂ及び外側の短手側縁部５ｃは直線状に形成され、中央側の短手側縁部５ｄは、直線部の両側に小さな円弧状を有して全体として略長方形状に形成されていたが、導入側収容部５
の形状も該実施形態に限定されるものではない。
【００３７】
さらに、上記実施形態では、押出側収容部４の凹入部８が、略半円の円弧を描くように切り欠かれて形成されているが、凹入部８の形状も該実施形態に限定されるものではない。さらに、上記実施形態では、導入側収容部５の突出部９が、その外側縁が略半円の円弧を描くように形成されているが、突出部９の形状も該実施形態に限定されるものではない。
【００４０】
さらに、上記実施形態においては、押出側収容部４と導入側収容部５とを導通させる導通用シール部７を含む区画シール部６が、イージーピールによってシールされていたが、
区画シール部６をイージーピールによってシールすることは、本発明に必須の条件ではない。
【００４１】
ただし、たとえばパートコート等、シール強度を調整するためにシートに薬剤を塗布し、熱溶着する手法によると、シートに塗布する薬剤の塗布ムラ等により、均一なシール強度を得ることができないおそれがある反面、イージーピールには、このような問題が生じないので、熱溶着時の温度、時間等を調整することによりシールするイージーピールの手法を採用することが望ましい。
【００４２】
また、上記実施形態では、導通用シール部７を含む区画シール部６をイージーピールによりシールすることを説明し、押出側収容部４及び導入側収容部５を包囲する周囲のシール部３のシールについては特に言及していないが、この周囲のシール部３は、イージーピールよりもシール強度が高く設定されていてもよく、或いはイージーピールによりシールされていてもよい。いずれにしても、これらのシールは、熱溶着、超音波溶着、高周波溶着等により行うことができる。
【００４３】
さらに、上記実施形態では、上側シート１と下側シート２との２枚のシートをシールすることで押出側収容部４や導入側収容部５を形成したが、２枚のシートを用いることは本発明に必須の条件ではなく、たとえば１枚のシートを２つに折り曲げ、その２つに折り曲げられた対面するシート部分をシールすることによって押出側収容部４や導入側収容部５を形成することも可能である。
【００４４】
さらに上記実施形態では、押出側収容部４内に収容する液体として化粧水や消毒液のような薬液を使用する場合について説明したが、これ以外の液体に使用することも可能である。また該実施形態では、担体として、薬液を含浸させるマスクや不織布製パッドのようなものを用いる場合について説明したが、担体の種類も該実施形態に限定されない。
【００４５】
さらに、押出側収容部４内に収容する被収容物の性状も上記実施形態の液体に限定されるものではなく、たとえば乳液、軟膏、クリーム等のようなものを収容することも可能である。
【００４６】
さらに、上記実施形態では、押出側収容部４内に液体を収容し、導入側収容部５内に担体を収容する場合について説明したが、これに限らず、たとえば導入側収容部５内には、薬剤、その他の粉末を収容し、押出側収容部４内の液体を導入側収容部５内に導入させて
粉末を液体に溶解させるような場合に用いることも可能である。
【００４７】
さらに、本発明の包装体の用途も、化粧品用、医薬品用、食品用等、問うものではなく、また、これら以外の用途に使用することも可能である。
【実施例】
【００４８】
本実施例では、上記実施形態と同様の形状の押出側収容部４及び導入側収容部５を有する包装体について、耐圧ピーク強度の試験を行った。
【００４９】
実施例１として、上記実施形態とほほ同様の形態の包装体１２であって、図８に示すように、導入側収容部５の突出部９が押出側収容部４の凹入部８内に臨出した形態の包装体を準備した。この実施例１の包装体１２においては、上記実施形態の包装体と同様に、導入側収容部５の突出部９の先端部９ａが、押出側収容部４の凹入部８の両側端縁部８ａ、８ａよりも押出側収容部４の側に位置するように形成されている。
【００５０】
比較例として、図９乃至図１２に示す比較例１乃至４の包装体１２を用い、実施例１と同様に耐圧ピーク強度の試験を行った。
【００５１】
比較例１の包装体１２は、図９に示すように、押出側収容部４が一対の長手側縁部４ａ、４ｂと、相対向する一対の短手側縁部４ｃ、４ｄとで包囲して形成され、一対の長手側縁部４ａ、４ｂ及び外側の短手側縁部４ｃが直線状に形成され、中央側の短手側縁部４ｄが略半円状に形成されている。これらの点で上記実施形態及び実施例１の包装体１２と共通している。また導入側収容部５は、図９に示すように、相対向する一対の長手側縁部５ａ、５ｂと、相対向する一対の短手側縁部５ｃ、５ｄとで包囲して形成され、これらの長手側縁部５ａ、５ｂ及び短手側縁部５ｃ、５ｄはすべて直線状に形成されている。これらの点でも実施例１の包装体１２と共通している。
【００５２】
しかし、上記実施例１のような、凹入部８及び突出部９が押出側収容部４や導入側収容部５に形成されてはいない。この点で上記実施例１と相違している。
【００５３】
比較例２の包装体１２は、図１０に示すように、押出側収容部４の一対の長手側縁部４ａ、４ｂ及び外側の短手側縁部４ｃが直線状に形成され、中央側の短手側縁部４ｄが２つの円弧状部を有して形成されている。また、その円弧状の短手側縁部４ｄの先端側に凹入部８が形成されている。短手側縁部４ｄや凹入部８の形状は実施例１と相違しているが、凹入部８が形成されている点は実施例１と共通している。また、導入側収容部５の長手側縁部５ａ、５ｂ及び外側の短手側縁部５ｃは直線状に形成され、中央側の短手側縁部５ｄは２つの円弧状部を有して形成されている。また、その円弧状の短手側縁部５ｄの先端側に突出部９が形成されている。短手側縁部５ｄや突出部９の形状は実施例１と相違しているが、突出部９が形成されている点は実施例１と共通している。
【００５４】
しかし、比較例２では、突出部９の先端部９ａが、凹入部８の両側縁部８ａ、８ａよりも手前側すなわち導入側収容部５側に位置しており、実施例１のように突出部９の先端部９ａが、凹入部８の両側縁部８ａ、８ａより押出側収容部４側に位置しているわけではない。従って、比較例２では、実施例１のように突出部９が凹入部８内に臨出した状態となっているわけではなく、単に突出部９と凹入部８とが対向するように形成されているだけである。これらの点で実施例１と相違している。
【００５５】
比較例３の包装体１２は、図１１に示すように、押出側収容部４の一対の長手側縁部４ａ、４ｂ及び外側の短手側縁部４ｃが直線状に形成され、中央側の短手側縁部４ｄが略半円状に形成され、これらの点で実施例１の包装体１２と共通している。また該短手側縁部４ｄの先端側に円弧状の凹入部８が形成されており、この点でも実施例１と共通している。さらに、導入側収容部５の長手側縁部５ａ、５ｂ及び短手側縁部５ｃ、５ｄはすべて直線状に形成され、さらに中央側の短手側縁部５ｄには略半円状の突出部９が形成されており、これらの点でも実施例１と共通している。
【００５６】
しかし、比較例３では、突出部９の先端部９ａが、凹入部８の両側縁部８ａ、８ａよりも手前側すなわち導入側収容部５側に位置しており、実施例１のように突出部９の先端部９ａが、凹入部８の両側縁部８ａ、８ａより押出側収容部４側に位置しているわけではない。従って、比較例２では、実施例１のように突出部９が凹入部８内に臨出した状態となっているわけではなく、単に突出部９と凹入部８とが対向するように形成されているだけである。これらの点で実施例１と相違している。
【００５７】
比較例４の包装体１２は、図１２に示すように、押出側収容部４の一対の長手側縁部４ａ、４ｂ及び短手側縁部４ｃ、４ｄがすべて直線状に形成されている。また、導入側収容部５の長手側縁部５ａ、５ｂ及び外側の短手側縁部５ｃが直線状に形成され、中央側の短手側縁部５ｄは緩やかな円弧状に形成されている。実施例１のような凹入部８や突出部９は形成されておらず、いずれにしても押出側収容部４や導入側収容部５の形状は実施例１と顕著に相違している。
【００５８】
以上のような実施例１及び比較例１乃至４の包装体１２を用いて耐圧ピーク強度の試験を行った。耐圧ピーク強度の試験は、ＪＩＳ Ｚ ０２３８におけるヒートシール強さ試験に基づいて行った。耐圧ピーク強度の測定は５回行い、その平均値を求めた。試験結果を表１に示す。
【００５９】
【表１】
0005065878.tif 000002
【００６０】
表１からも明らかなように、比較例１乃至４の包装体１２で試験した耐圧ピーク強度の平均値は、１００〜１７０（Ｎ／包）程度であったのに対し、実施例１の包装体１２で試験した耐圧ピーク強度の平均値は５５（Ｎ／包）程度であり、比較例１乃至４に比べて著しく低かった。従って、実施例１の包装体１２の押出側収容部４と導入側収容部５にそれぞれ液体や担体を収容して押出側収容部４を押圧した場合は、比較例１乃至４の包装体１２の押出側収容部４と導入側収容部５にそれぞれ液体や担体を収容して押出側収容部４を押圧した場合に比べると、押出側収容部４と導入側収容部５との区画シール部分の剥離が著しく容易であることが予測される。
【図面の簡単な説明】
【００６１】
【図１】一実施形態としての包装体を示す平面図。
【図２】同要部拡大平面図。
【図３】図１のＡ−Ａ線拡大断面図。
【図４】収容物内に被収容物を収容した状態の断面図。
【図５】押出側収容部を押圧した状態の作用を説明するための平面図。
【図６】導通用シール部が剥離される直後の作用を説明するための平面図。
【図７】導通用シール部が剥離されて押出側収容部と導入側収容部とが連通状態となった作用を説明するための平面図。
【図８】耐圧ピーク強度の試験に用いる実施例１の包装体の平面図。
【図９】同比較例１の平面図。
【図１０】同比較例２の平面図。
【図１１】同比較例３の平面図。
【図１２】同比較例４の平面図。
【図１３】従来の包装体の平面図。
【符号の説明】
【００６２】
４  押出側収容部
５  導入側収容部
６  区画シール部
７  導通用シール部
８  凹入部
９  突出部
１２ 包装体
【図１】
0005065878.tif 000003
【図２】
0005065878.tif 000004
【図３】
0005065878.tif 000005
【図４】
0005065878.tif 000006
【図５】
0005065878.tif 000007
【図６】
0005065878.tif 000008
【図７】
0005065878.tif 000009
【図８】
0005065878.tif 000010
【図９】
0005065878.tif 000011
【図１０】
0005065878.tif 000012
【図１１】
0005065878.tif 000013
【図１２】
0005065878.tif 000014
【図１３】
0005065878.tif 000015